(57)【要約】【課題】  給湯機の沸き上げ運転中に生じた一回目の異常の履歴を記憶させることができる制御装置、制御方法及びそれらを備えた給湯機を提供する。【解決手段】  １回目に発生した異常の異常内容、例えばどのような異常が発生したかを示す異常の番号と流量調整ポンプ１ａ、圧縮機１４、送風機１６及び電磁弁１８の制御情報、温度センサ８、圧力センサ１０の検出値が不揮発性記憶装置１２の第１の記録領域に保存され、２回目以降の異常は最新の異常内容を不揮発性記憶装置１２の第２の記録領域に保存する。【選択図】  図２
2011007416.tif 000002
【特許請求の範囲】
【請求項１】
機器の駆動によって内部エネルギーが変化する流体の温度又は圧力を検出する状態検出手段と、
沸き上げ運転時に前記状態検出手段の検出値から前記流体の状態の異常を検出する異常検出手段と、
前記異常検出手段が検出した異常の異常内容に応じて前記機器を制御する制御手段と、
前記異常検出手段が一連の運転を開始してから１回目の異常を検出した場合には、前記状態検出手段の検出値、前記制御手段が制御する前記機器の駆動状態、又は前記検出値から定まる異常内容を記録する第１の記録領域と、
前記異常検出手段が前記一連の運転を開始してからこの運転終了までの間に２回目以降の異常を検出した場合には、前記状態検出手段の検出値、前記制御手段が制御する前記機器の駆動状態、又は前記検出値から定まる異常内容を記録する第２の記録領域と
を備えたことを特徴とする制御装置。
【請求項２】
機器の駆動によって内部エネルギーが変化する流体の温度又は圧力を検出する状態検出手段と、
運転時に前記状態検出手段の検出値から前記流体の状態の異常を検出する異常検出手段と、
前記異常検出手段が検出した異常の異常内容に応じて前記機器を制御する制御手段と、
前記異常検出手段が一連の運転を開始してから１回目の異常を検出した場合には、前記状態検出手段の検出値、前記制御手段が制御する前記機器の制御状態、又は前記検出値から定まる異常内容を記録する第１の記録領域と、
前記異常検出手段が前記一連の運転を開始してからこの運転終了までの間に２回目以降の異常を検出した場合であって、該異常が前記１回目の異常と対応するときは、前記状態検出手段の検出値、前記制御手段が制御する前記機器の制御状態、又は前記検出値から定まる異常内容を前記第１の記録領域に上書き記録すること
を特徴とする制御装置。
【請求項３】
第１の記録領域又は第２の記録領域が上書きされた回数を確認する上書き判定手段を備えたこと
を特徴とする請求項１又は２に記載の制御装置。
【請求項４】
状態検出手段の検出値が所定の範囲外になり、異常検出手段が異常を検出した場合に、
制御手段が機器を異常時制御運転又は一時停止させ、前記状態検出手段の検出値が前記所定の範囲になった後に前記機器の運転を再開すること
を特徴とする請求項１乃至３のいずれかに記載の制御装置。
【請求項５】
請求項１乃至４のいずれかに記載の制御装置を備えた給湯機であって、前記制御装置に設けられた状態検出手段は給湯部で加熱された水の温度を検出する温度手段又は前記給湯部を循環する冷媒の圧力を検出する圧力手段であり、一連の運転とは前記給湯部で加熱される沸き上げ運転の開始からあらかじめ設定された温度のお湯になり沸き上げ終了までの一連の運転であることを特徴とする給湯機。
【請求項６】
機器の運転条件の設定し、この設定した設定値を制御装置に出力するとともに、異常検出手段による異常検出により機器が異常時制御運転又は一時停止している間は異常であることを表示する操作部と、を備えたことを特徴とする請求項５に記載の給湯機。
【請求項７】
機器の動作によって内部エネルギーが変化する流体の温度又は圧力を検出する状態検出手段と、
運転時に前記状態検出手段の検出値によって前記流体の状態の異常を検出する異常検出手段と、
前記異常検出手段が検出した異常の異常内容に応じて前記機器を制御する制御手段と、
前記異常の情報及び前記制御手段が制御する機器の制御情報を記録する記録手段と
を備えた制御装置の制御方法であって、
前記異常検出手段は前記状態検出手段の検出値が入力されて異常検出を行う第１工程と、
前記異常検出手段が沸き上げ運転を開始してから１回目の異常を検出した場合には、前記状態検出手段の検出値、前記制御手段が制御する前記機器の制御状態、又は前記検出値から定まる異常内容を前記記録手段の第１の記録領域に記録する第２工程と、
前記異常検出手段が沸き上げ運転を開始してからこの沸き上げ運転が終了するまでの間に２回目以降の異常を検出した場合には、前記状態検出手段の検出値、前記制御手段、又は前記検出値から定まる異常内容が制御する前記機器の制御状態を前記記録手段の第２の領域に上書き記録する第３工程とを
備えたことを特徴とする給湯機の制御方法。
【請求項８】
機器の動作によって内部エネルギーが変化する流体の温度又は圧力を検出する状態検出手段と、
前記異常検出手段が検出した異常の異常内容に応じて前記機器を制御する制御手段と、
前記異常の情報及び前記制御手段が制御する機器の制御情報を記録する記録手段と
を備えた制御装置の制御方法であって、
前記異常検出手段は前記状態検出手段の検出値が入力されて異常検出を行う第１工程と、
前記異常検出手段が沸き上げ運転を開始してから１回目の異常を検出した場合には、前記状態検出手段の検出値、前記制御手段が制御する前記機器の制御状態、又は前記検出値から定まる異常内容を前記記録手段の第１の記録領域に記録する第２工程と、
前記異常検出手段が沸き上げ運転を開始してからこの沸き上げ運転が終了するまでの間に２回目以降の異常を検出した場合であって、該異常が前記１回目の異常の対象となるときは、前記状態検出手段の検出値、前記制御手段が制御する前記機器の制御状態、又は前記検出値から定まる異常内容を前記第１の記録領域に上書き記録する第３工程とを
備えたことを特徴とする給湯機の制御方法。
【請求項９】
一連の沸き上げ運転中に異常検出により異常時制御運転又は一時停止した後に運転を再開して設定された湯量又は温度に到達して前記一連の沸き上げ運転を終了した場合に、
再び沸き上げ運転を開始してから検出した１回目の異常の状態検出手段の検出値、制御手段が制御する機器の制御状態、又は前記検出値から定まる異常内容を第１の記録領域に上書き記録する第４工程を備えたことを特徴とする請求項７又は８に記載の給湯機の制御方法。
【発明の詳細な説明】
【技術分野】
【０００１】
この発明は、マイコン制御された給湯機の異常発生時にその情報を記録し、給湯機を制御する制御装置及び給湯機の制御方法、給湯機に関するものである。
【背景技術】
【０００２】
従来の給湯機の制御装置は、異常が発生した時の機器の制御情報、例えばアクチュエータの設定内容や各センサの検出値を不揮発性記録装置に記録している。これら情報は異常が発生するたびに古い異常の情報を削除して更新され、常に最新の異常についての情報が記録されるようにしている。そして、これらの記録された情報は、給湯機が不具合を起こした場合に原因を究明する為に使用している。（例えば、特許文献１参照）
【０００３】
また、異常の情報を記録する記録部を３箇所以上の所定数に分割し、異常が発生する毎に分割された記録部に異常のデータを記録し、異常の記録が所定数埋まってしまうと最も以前に記録させた異常の記録に削除し、新たな異常の内容を記録する。（例えば、特許文献２参照）
【０００４】
【特許文献１】特開平５−９９４３２（第２―３頁、第３図）
【特許文献２】特開平８−２７２４３５（００１８欄）
【発明の概要】
【発明が解決しようとする課題】
【０００５】
しかしながら、従来の給湯機の制御装置は異常が発生すると、その時点のアクチュエータの設定内容・各センサの検出状況等の情報を記録し、一旦運転を停止させる。運転を停止したことで異常が復旧すれば、一定時間後に運転を開始させる。再運転時に再び異常が発生すると、再度アクチュエータの設定内容・各センサの検出状況等の情報を先程記録した情報に上書きする方法で記録する。また再運転を行う場合、安定状態に達するまでの時間を短縮する必要があるため、異常が発生した時点のアクチュエータの状態に近い設定で再運転を開始させている。ところが、一番初めの運転開始時は徐々にアクチュエータの設定を安定状態へと移行させるのに対して、再運転時は運転の初期から安定するはずのアクチュエータ設定としているため、ユニットに何らかの不具合状態が発生して異常停止する状態では再運転時も運転開始からわずかな時間で異常が再発してしまう場合がある。このような場合は各検出する値が最初の異常発生時と大きく異なる場合があり、初回の異常情報を削除して情報を上書き保存していると異常発生要因を正しく判断できない場合が多いいう問題がある。
【０００６】
また、アクチュエータの設定内容・各センサの検出値の記録には多くのメモリを必要とするため、複数回分の異常について記録させようとするとメモリ容量を増加させなければならず、製品の製造コストがアップしてしまう等の問題がある。
【０００７】
この発明は、上記のよう課題を解決するためになされたもので、異常時の情報を記録する記録領域を１回目の異常を記録する記録領域と２回目以降の異常を記録する記録領域に分割することにより経済的に異常発生の要因を究明することができる制御装置、給湯機の制御方法、給湯機を得ることを目的とする。
【課題を解決するための手段】
【０００８】
上記の課題を解決するために、本発明の給湯機の制御装置は機器の駆動によって内部エネルギーが変化する流体の温度又は圧力を検出する状態検出手段と、
沸き上げ運転時に前記状態検出手段の検出値から前記流体の状態の異常を検出する異常検出手段と、
前記異常検出手段が異常を検出した異常内容に応じて前記機器を制御する制御手段と、
前記異常検出手段が一連の運転を開始してから１回目の異常を検出した場合には、前記状態検出手段の検出値、前記制御手段が制御する前記機器の駆動状態、又は前記検出値から定まる異常内容を記録する第１の記録領域と、
前記異常検出手段が前記一連の運転を開始してからこの運転終了までの間に２回目以降の異常を検出した場合には、前記状態検出手段の検出値、前記制御手段が制御する前記機器の駆動状態、又は前記検出値から定まる異常内容を記録する第２の記録領域とを備えたことを
特徴とするのものである。
【０００９】
上記の課題を解決するために、本発明の給湯機の制御方法は機器の動作によって内部エネルギーが変化する流体の温度又は圧力を検出する状態検出手段と、
運転時に前記状態検出手段の検出値によって前記流体の状態の異常を検出する異常検出手段と、
前記異常検出手段が異常を検出した場合に前記機器を制御する制御手段と、
前記異常の情報及び前記制御手段が制御する機器の制御情報を記録する記録手段と
を備えた制御装置の制御方法であって、
前記異常検出手段は前記状態検出手段の検出値が入力されて異常検出を行う第１工程と、
前記異常検出手段が１回目の異常が検出した場合には、前記状態検出手段の検出値、前記制御手段が制御する前記機器の制御状態、又は前記検出値から定まる異常内容を前記記録手段の第１の記録領域に記録する第２工程と、
前記異常検出手段が２回目以降の異常を検出した場合には、前記状態検出手段の検出値、前記制御手段、又は前記検出値から定まる異常内容が制御する前記機器の制御状態を前記記録手段の第２の領域に上書き記録する第３工程とを備えたこと
を特徴とするものである。
【発明の効果】
【００１０】
本発明は、異常発生時に異常の内容を判断して沸き上げ運転を継続しながら制御運転や一時停止等の処置を決めるため無駄なエネルギーを消費することなく信頼性の高い装置にでき、記録容量を不要に大きくすることなく必要な記録を残すことができるという効果を有する。
【図面の簡単な説明】
【００１１】
【図１】この発明の実施の形態１におけるヒートポンプ給湯機の全体図である。
【図２】この発明の実施の形態１におけるヒートポンプ給湯機の制御装置を示すブロック図である。
【図３】この発明の実施の形態１におけるヒートポンプ給湯機の制御装置のプログラムの全体を示すフローチャート図である。
【図４】この発明の実施の形態２におけるヒートポンプ給湯機の制御装置のプログラムの全体を示すフローチャート図である。
【発明を実施するための形態】
【００１２】
実施の形態１．
図１はこの発明の実施の形態１における給湯機の全体図である。図１において、給湯機タンクユニット１にはヒートポンプ給湯ユニット２が電源線と通信線と水配管にて接続される。ヒートポンプ給湯ユニット２には冷媒が圧縮と膨張を繰り返して循環しており、水配管によりヒートポンプ給湯ユニット２に流れる水がピートポンプ給湯ユニット２の圧縮機により圧縮された高温冷媒と熱交換して高温の水となった後、給湯機タンクユニット１に流れる。また、給湯機タンクユニット１には給湯機を操作するための台所用リモコン３及び浴室用リモコン４が電源線兼用の通信線で接続され、また内部の配管を流れる水の流量を制御する流量調整ポンプ１ａが備えられている。
【００１３】
図２はこの発明の実施の形態１における制御装置のブロック図である。ヒートポンプ給湯ユニット２に搭載される制御基板５にはヒートポンプ給湯ユニット２の運転制御を行うマイクロコンピュータ６があり、マイクロコンピュータ６は給湯機タンクユニット１と通信を行い台所用リモコン３、浴室用リモコン４で設定された情報及び流量調整ポンプ１ａの出力を伝えるためのタンクユニット通信回路７、給湯機タンクユニット１内の冷媒配管を流れる冷媒又は水配管内の温度を検知する温度センサ８からの信号をマイクロコンピュータ６が読み取れる信号に変換する温度検出回路９、同様に給湯機タンクユニット１内の冷媒配管を流れる冷媒の圧力を検知する圧力センサ１０からの信号をマイクロコンピュータ６が読み取れる信号に変換する圧力検出回路１１、ヒートポンプ給湯ユニット２の制御に使用するデータと異常発生時の温度センサ８、圧力センサ１０の出力値等の異常時データを記録手段として保存する不揮発性記録装置１２、またこの不揮発性記録装置１２内のデータを指示手段２２を介して外部の機器で読み出すときに通信ケーブルを接続する外部接続コネクタ１３とそれぞれ接続されている。
【００１４】
そして、ヒートポンプ給湯ユニット２の制御基板５には配管を流れる水と熱交換した冷媒を低温・低圧にするための電磁弁１８を駆動するための電磁弁駆動回路１９、熱交換して電磁弁１８を通過した冷媒の温度を上げるために外部空気をヒートポンプ給湯ユニット２に送風する送風機１６を駆動するための送風機駆動回路１７、ヒートポンプ給湯ユニット２内の熱交換器を通過する際に外部空気と熱交換して温度が上がった冷媒を圧縮してさらに高温・高圧にするための圧縮機１４を駆動するための圧縮機駆動回路１５が設けられており、これらはマイクロコンピュータ６からの信号で制御されている。
【００１５】
送風機１６が外部空気を電磁弁１８を通過し、冷媒が通過するヒートポンプ給湯ユニット２内の熱交換器に対して送風する。また、圧縮機１４で冷媒を高温高圧にする。流量調整ポンプ１ａで水の流量や水圧を制御するといったように、これらの機器が動作して冷媒又は水への仕事することにより、これらの内部エネルギーは変化する。そして、この変化を検出するための状態検出手段として温度センサ８及び圧力センサ１０が設けられている。
【００１６】
尚、不揮発性記録装置１２には正常運転時にリモコンで設定された温度又は湯量を達成するための流量調整ポンプ１ａの出力、圧縮機１４と送風機１６の回転数、電磁弁１８の開度を温度又は湯量に対して予め定めた運転制御用データと、運転開始後、異常検出後に機器の駆動状態又は運転経過時間に対して温度センサ８又は圧力センサ１０の検出値の許容範囲を定めた異常検出用データが記録されている領域がある。
【００１７】
さらに不揮発性記録装置１２には、異常を検出した時の流量調整ポンプ１ａ、圧縮機１４と送風機１６、電磁弁１８の駆動状態、および温度センサ８、圧力センサ１０の検出値、発生時間を異常時データと異常内容、例えばどのような異常が発生したかを示す異常の番号、等を記録する領域があり、沸き上げ運転開始から、リモコンで設定された温度又は湯量を達成する、又は異常等により強制的に沸き上げ運転を終了するまでの一連の沸き上げ運転の間で発生した１回目の異常時データ、異常内容を保存する第１の記録領域と２回目以降の異常時データ、異常内容を保存する第２の記録領域に分割されている。
【００１８】
ただし、実施の形態２では２回目以降の異常であっても、一回目と同じ異常内容の異常は第１の記録領域に記録する。２回目以降の異常であると判定されると、検出した異常が１回目の異常に対応した異常であるか否かを判定する。各センサの検出値が１回目の異常の検出値と同一の傾向があるか否かを異常検出手段２１が判定し、例えば、異常検出用データの許容範囲外になった温度センサ８、圧力センサ１０の検出値の組合せや異常内容が１回目と同じであるか否かで判定するものとする。
【００１９】
マイクロコンピュータ６について説明する。マイクロコンピュータ６は制御手段２０、異常検出手段２１、指示手段２２から構成されている。
【００２０】
制御手段２０には温度検出回路９、圧力検出回路１１からの出力値による温度センサ８からの各部分の温度値と圧力センサ１０からの圧力値、またタンクユニット通信回路７から入力される設定情報及び流量調整ポンプ１ａからの出力が入力される。制御手段２０はこれらの情報と不揮発性記録装置１２にあらかじめ記録させてある運転制御用データとにしたがって、流量調整ポンプ１ａの出力、圧縮機１４と送風機１６の回転数、電磁弁１８の開度といった駆動条件を決定して流量調整ポンプ１ａ、圧縮機駆動回路１５、送風機駆動回路１７又は電磁弁駆動回路１９に出力する。
【００２１】
温度検出回路９又は圧力検出回路１１はその温度センサ８又は圧力センサ１０の検出値を異常検出手段２１に出力する。異常検出手段２１はその検出値と不揮発性記録装置１２に記録された異常検出用データの許容範囲に基づいて、ヒートポンプ給湯ユニット２内を流れる冷媒や水の状態についての異常の有無を判定する。つまり、異常判定の閾値となる温度、圧力のデータ又は温度と圧力の関係式、または時間とそれらの関係式を予め不揮発性記録装置１２に記録しておき、異常検出手段２１は指示手段２２と制御手段２０とを介してデータを取得して温度検出回路９又は圧力検出回路１１からの出力値と比較することによって異常検出を行う。
【００２２】
例えば、所定時間経過後に配管を流れる水の温度が所定温度範囲外である場合、若しくは冷媒の圧力が所定の温度範囲外である場合、または水の温度に対して冷媒の圧力が所定の圧力範囲よりも高い場合又は運転時間に対して水の温度、冷媒の圧力が所定の範囲よりも低すぎる場合等に異常であると判定される。そして、それらの組合せと許容範囲からの乖離値の大小に対して異常内容、例えばどのような異常が発生したかを示す異常の番号等、を予め定めておき異常検出用データに組み込んでおく。また、それぞれの異常内容に対して重み付けをしておく。
【００２３】
重み付けは、例えば異常内容に応じた機器の制御運転や機器を一時停止した後であって、温度センサ８又は圧力センサ１０の検出値が許容範囲に戻って運転を再開した後に、異常が再発しなければ軽微な異常として異常内容に登録すると共に、異常が再発して所定時間以上異常時制御運転又は一時停止が行われると１回目の異常を重度の異常として異常内容に登録するものとする。他にはセンサの検出値の変化率が大きいほど、又は異常時制御運転若しくは一時停止時間が長くなるほど重度の異常であるとする。
【００２４】
異常検出手段２１が異常を検出した場合、異常検出用データから異常内容を決定し、異常内容と温度検出回路９又は圧力検出回路１１の出力値を指示手段２２に出力する。
【００２５】
指示手段２２は、異常検出手段２１から異常の情報を受け取った場合は、異常検出手段２１から入力された温度又は圧力の出力値、流量調整ポンプ１ａの出力、圧縮機１４と送風機１６の回転数及び電磁弁１８の開度を異常時データとして不揮発性記録装置１２に適宜記録する。また、温度センサ８又は圧力センサ１０の検出値又は異常内容を制御手段２０に出力する。
【００２６】
制御手段２０は異常発生時には指示手段２２から入力される情報に基づいて流量調整ポンプ１ａの出力、圧縮機１４と送風機１６の回転数、電磁弁１８の開度を調整する若しくはそれらを停止させるといったように異常内容に応じた異常時制御運転を決定してタンクユニット通信回路７、圧縮機駆動回路１５、送風機駆動回路１７又は電磁弁駆動回路１９に出力する。
【００２７】
ヒートポンプ給湯ユニット２は、台所用リモコン３又は浴室用リモコン４で設定された内容にしたがって、給湯機タンクユニット１から運転指令信号がタンクユニット通信回路７に送信されてくる。この運転指令信号をヒートポンプ給湯ユニット２内のマイクロコンピュータ６内の制御手段２０で判断し、給湯機タンクユニット１内の水を循環させ、お湯にして給湯機タンクユニット１に戻す制御を実施する。
【００２８】
尚、沸き上げ運転開始から、リモコンで設定された温度又は湯量を達成する、又は異常等により強制的に沸き上げ運転を終了するまでを一回の沸き上げ運転とし、電源投入やリモコンからの指令によって再び沸き上げ運転が開始した場合の最初の異常は１回目の異常であり第１の記録領域に保存するものとする。ただし、その前の沸き上げ運転中に記録された第１の記録領域に残っている異常内容、異常時データと今回の沸き上げ運転で発生した異常の異常内容、異常時データと比較して、今回の運転中に発生した異常が軽微な異常である場合は、今回の沸き上げ運転中の異常は異常内容、異常時データを第１の記録領域に記録させずに、前回の沸き上げ運転時に記録された異常内容、異常時データをそのまま残しておいてもよい。
【００２９】
ヒートポンプ給湯ユニット２を循環する冷媒は、二酸化炭素を用いるが、アンモニア、炭化水素、水、空気等を用いても良い。
【００３０】
上述した制御装置は冷凍サイクルを使用する空調機に用いることができる。冷凍サイクルを循環する冷媒の温度、圧力を検出する状態検出手段として温度センサ、圧力センサを設けて、空調機が冷房運転又は暖房運転を継続している間を一連の運転とし、電源を切り運転を停止した後、再度電源を入れて運転を開始した場合に検出された異常を一回目の異常とすると上述した制御装置で同様の制御を行うことが可能である。
【００３１】
次に本実施の形態の給湯機の制御装置の制御動作について説明する。図３はこの発明の実施の形態１におけるマイクロコンピュータのプログラム動作の全体の流れを表すフローチャート図であり、図３に基づいて本実施の形態における給湯機の制御方法について説明する。
【００３２】
まずタンクユニット通信回路７から台所用リモコン３又は浴室用リモコン４で設定されたお湯の温度や湯量といった設定情報を制御手段２０へ出力し、沸き上げ運転を開始する（Ｓ１００）。
【００３３】
次にＳ１００で設定された情報と予め不揮発性記録装置１２に記録され、正常運転時にリモコンで設定された温度又は湯量を達成するための運転制御用データとに基づいて制御手段２０は流量調整ポンプ１ａの出力、圧縮機１４と送風機１６の回転数及び電磁弁１８の開度といった駆動条件を決定し、これら機器を駆動する（Ｓ１１０）。
【００３４】
次に機器が駆動して運転が始まったら異常検出手段２１及び制御手段２０は温度センサ８及び圧力センサ１０の検出値を読み込む（Ｓ１２０）。
【００３５】
異常検出手段２１はＳ１２０で読み込んだ検出値と予め不揮発性記録装置１２に記録されている異常検出用データに基づいて異常検出を行う（Ｓ１３０）。異常を検出しない場合はＳ１３１に進み、異常を検出した場合は異常内容を決定してＳ１４０に進む。
【００３６】
Ｓ１３１で機器が後述するＳ１７０で説明する異常時制御運転中であるか否かを判定する（Ｓ１３１）。異常時制御運転中でなければＳ１８０に進み、異常時制御運転中であれば、異常時制御運転を解除して制御手段２０が決定した機器の駆動条件に基づいて通常運転を行う（Ｓ１３２）。その後、Ｓ１８０に進む。
【００３７】
Ｓ１４０ではＳ１３０で検出した異常がＳ１００で沸き上げ運転を開始してから１回目の異常であるか否かを判定する（Ｓ１４０）。一回目の異常である場合はＳ１３０で異常を検出した時の機器の駆動状態、およびセンサの検出値、発生時間といった異常時データと、異常内容を制御手段２０が指示手段２２を介して不揮発性記録装置１２の第１の記録領域に記録する（Ｓ１５０）。Ｓ１４０で検出された異常が２回目以降の異常である場合は、Ｓ１５０と同様にＳ１３０で異常を検出した時の異常時データと異常内容を不揮発性記録装置１２の第２の記録領域に記録させる（Ｓ１６０）。尚、第２の記録領域に記録するのは異常内容のみでも良い。
【００３８】
Ｓ１５０及びＳ１６０の後、制御手段２０が機器の駆動条件を再設定し、異常時制御運転を行う（Ｓ１７０）。異常時制御運転では制御手段２０が流量調整ポンプ１ａ、圧縮機１４、送風機１６を一時停止させる又は異常内容に対応するように流量調整ポンプ１ａ、圧縮機１４と送風機１６、電磁弁１８の駆動条件を変更して運転する。例えば、温度センサ８の検出値が低すぎる場合は圧縮機１４と送風機１６の回転数を上げたり、逆に温度が高すぎる場合は流量調整ポンプ１ａの出力を上げたり、圧力センサ１０の検出値が高すぎる場合は電磁弁１８の開度を上げたり、逆に圧力が低すぎる場合は圧縮機１４の回転数を上げたり等することであり、さらにこれらの組み合わせて制御を行う。このような異常時制御運転を行うことによって温度センサ８又は圧力センサ１０の検出値を許容範囲内に戻すことができる。
【００３９】
Ｓ１７０の後、制御手段２０がタンクユニット通信回路７と通信を行う（Ｓ１８０）。
台所用リモコン３又は浴室用リモコン４に異常があることを表示させる。ただし、異常内容によっては、例えば軽微な異常である場合は表示させなくても良い。この際、リモコンのお湯の温度や湯量といった設定情報が再変更されていれば、制御手段２０に入力し駆動条件をそれらの再設定に合わせて変更する。
【００４０】
Ｓ１８０の後、制御手段２０が沸き上げ運転を継続するか否かの判定を行う（Ｓ１９０）。判定の方法としては、リモコンで電源がＯＦＦにされた場合、給湯機タンクユニット１内のタンクに貯められるお湯の湯量又は温度を検出するセンサを設けて、湯量又は温度がリモコンで設定された条件に到達した場合、所定時間連続で異常時制御運転が続いた場合等は沸き上げ運転を継続しないとの判定を行いＳ１９１に進む。湯量又は温度がリモコンで設定された条件に到達していない場合、又は軽微な異常内容であって異常時制御運転が連続で所定時間続いていない場合は沸き上げ運転継続と判定しＳ１２０に進む。
【００４１】
Ｓ１９１では再び制御手段２０がタンクユニット通信回路７と通信を行う（Ｓ１９１）。台所用リモコン３又は浴室用リモコン４に沸き上げ運転が完了又は異常により中止したこと及び異常内容を表示させる。また異常内容によっては通信又は使用者が電話によりサービスセンターに報知することが望ましい。
【００４２】
その後、Ｓ１９２で制御手段２０が流量調整ポンプ１ａ、圧縮機１４、送風機１６及び電磁弁１８の駆動を停止させ、沸き上げ運転を終了する。
【００４３】
尚、Ｓ１９２で沸き上げ運転を終了した後、電源投入やリモコンからの指令（Ｓ１００）によって再び沸き上げ運転が開始した場合の最初の異常は１回目の異常であり第１の記録領域に保存するものとする。ただし、前回の沸き上げ運転中に記録された第１の記録領域に残っている異常内容と今回の沸き上げ運転で発生した異常の異常内容と比較して、今回の運転中に発生した異常が軽微な異常である場合は、今回の沸き上げ運転中の異常は異常内容、異常時データを第１の記録領域に記録させずに、前回の沸き上げ運転時に記録された異常内容、異常時データをそのまま残しておいてもよい。
【００４４】
以上のように、Ｓ１００で沸き上げ運転を開始してＳ１９２で終了するまでの間で、１回目に発生した異常の異常内容と圧縮機１４と送風機１６、電磁弁１８の駆動状態、温度センサ８の検出温度、圧力センサ１０の検出圧力が不揮発性記録装置１２の第１の記録領域に保存され、２回目以降の異常は最新の異常内容を不揮発性記録装置１２の最新異常記録領域に保存するようにしているので、これら保存したデータを後で外部接続コネクタ１３から読み出すことが可能となる。
【００４５】
１回目の異常が発生した後であって、Ｓ１３２で異常時運転を解除して通常の沸き上げ運転を行った後に発生する２回目以降の異常は、異常内容とセンサ検出値、流量調整ポンプ１ａ、圧縮機１４、送風機１６及び電磁弁１８の駆動状態が１回目の異常の発生時と異なってしまうため、どのような要因で発生した異常なのか判断できない場合が多い。しかし、この制御装置を備えた給湯機では異常が発生し、ヒートポンプ給湯ユニット２が交換された場合、異常が発生したヒートポンプ給湯ユニット２から異常発生時の異常内容、異常時データを読み出すことで、発生した異常の根本要因が何であったのかを正しく判断することができる。異常の発生要因が正しく判断できるようになれば、市場に据え付けられた給湯機に発生しやすい異常の傾向をつかむことが可能となり、マイクロコンピュータ６の沸き上げ運転制御のプログラム又は不揮発性記録装置１２に記録されている運転制御用データ、異常検出用データを修正することで異常を発生しにくくしたり、異常個所を台所用リモコン３、浴室用リモコン４に表示して現場での修理を容易にしたりすることができる。
【００４６】
実施の形態２．
次に１回目に発生した異常内容によっては２回目以降の異常情報を第１の記録領域に記録する実施の形態２を説明する。
【００４７】
図４はこの発明の実施の形態１における制御装置の制御動作の全体の流れを表すフローチャート図であり、図４に基づいて本実施の形態における給湯機の制御方法について説明する。尚、装置の構成は実施の形態１と同様である。
【００４８】
ここでは図４中のＳ２４１、Ｓ２４２、Ｓ２４３、Ｓ２５０、Ｓ２６０について詳細に説明する。尚、Ｓ２００は図３のＳ１００と、Ｓ２１０はＳ１１０と、Ｓ２２０はＳ１２０と、Ｓ２３０はＳ１３０と、Ｓ２３１はＳ１３１と、Ｓ２３２はＳ１３２と、Ｓ２４０はＳ１４０と、Ｓ２７０はＳ１７０と、Ｓ２８０はＳ１８０と、Ｓ２９０はＳ１９０と、Ｓ２９１はＳ１９１と、Ｓ２９２はＳ１９２と同様であるのでここでの説明は省略する。
【００４９】
Ｓ２３０で検出された異常がＳ２００で沸き上げ運転が開始してからＳ２４０で一回目であると判定されると、第１の記録領域に設けられた上書き回数確認データに０を記録させる（Ｓ２４１）。その後、Ｓ２３０で検出した異常の異常内容、異常時データを第１の記録領域に記録する（Ｓ２５０）。
【００５０】
Ｓ２３０で検出された異常がＳ２４０で２回目以降の異常であると判定されると、そのＳ２３０で検出した異常が１回目の異常に対応した異常であるか否かを判定する（Ｓ２４２）。Ｓ２４２では、各センサの検出値が１回目の異常の検出値と同一の傾向があるか否かを異常検出手段２１が判定し、例えば、異常検出用データの許容範囲外になった温度センサ８、圧力センサ１０の検出値の組合せや異常内容が１回目と同じであるか否かで判定するものとする。
【００５１】
Ｓ２４２で１回目の異常に対応した異常であると判定されると、指示手段２２を介して第１の記録領域の上書き回数確認データに記録されている数値に１を加えた数値を上書き記録する（Ｓ２４３）。その後、Ｓ２５０で、Ｓ２３０で検出した異常の異常内容、異常時データを指示手段２２を介して第１の記録領域に上書き記録する。Ｓ２４２で１回目の異常に対応した異常ではないと判定された場合は、Ｓ２３０で異常を検出した時の異常時データと異常内容を実施の形態１のＳ１６０と同様に不揮発性記録装置１２の第２の記録領域に記録させる（Ｓ２６０）。上書き回数確認データは上書き判定手段として用いることができ、上書き回数確認データの数値を確認することによって、第１の記録領域が何回上書きされたか、すなわち１回目に対応した異常が何回発生したかを確認することができる。
【００５２】
尚、記録する上書き回数確認データは１ｂｉｔとし、Ｓ２４１では０を記録させ、Ｓ２４３では常に１を上書き記録させても良い。不揮発性記録装置１２の記憶容量を削減し、上書き回数確認データから第１の記録領域の記録内容が上書きされたか否かを判断することができる。
【００５３】
また、第２の記録領域にも上書き回数確認データを記録させて、Ｓ２６０で記録する時に第２の記録領域の上書き回数確認データに記録されている数値に１を加えた数値を上書き記録しても良い。第２の記録領域が何回上書きされたかを確認することができる。
【００５４】
Ｓ２５０、Ｓ２６０の後、実施の形態１のＳ１７０と同様に異常時制御運転を行う（Ｓ２７０）。その後、実施の形態１のＳ１９２と同様にＳ２９２で沸き上げ運転を終了する。
【００５５】
尚、Ｓ２９２で沸き上げ運転を終了した後、電源投入やリモコンからの指令（Ｓ２００）によって再び沸き上げ運転が開始した場合の最初の異常は１回目の異常であり第１の記録領域に保存するものとする。ただし、前回の沸き上げ運転中に記録された第１の記録領域に残っている異常内容と今回の沸き上げ運転で発生した異常の異常内容と比較して、今回の運転中に発生した異常が軽微な異常である場合は、今回の沸き上げ運転中の異常は異常内容、異常時データを第１の記録領域に記録させずに、前回の沸き上げ運転時に記録された異常内容、異常時データをそのまま残しておいてもよい。
【００５６】
また、Ｓ２９０でリモコンで電源がＯＦＦにされる若しくは給湯機タンクユニット１内のお湯の湯量又は温度がリモコンで設定された条件に到達することによってＳ２９２で運転を終了した場合に、電源投入やリモコンからの指令（Ｓ２００）によって再び沸き上げ運転が開始した場合の１回目の異常の異常内容、異常時データを第１の記録領域に上書き記録するようにしても良い。
【００５７】
１回目書き込みに対応した異常は、事前にマイクロコンピュータ６内のプログラム又は不揮発性記録装置１２にデータとして保存してある情報であり、一連の沸き上げ運転の１回目の異常であれば異常時データや異常内容により異常の要因が解析できる。制御や環境が原因で発生するものに限定し、基板上の部品の故障により発生する異常、例えば電圧値や電流値が異常値を示している状態で生じる異常は１回目書き込みに対応させない。
【００５８】
以上のように、発生要因の解析が困難な異常に関してのみ第１の記録領域への書き込みを行うようにしているので、不要な異常時データの書き込みを行わず、異常の解析が可能となるデータのみを保存することができる。
【００５９】
尚、ヒートポンプ式の給湯機の制御について上述したが、ヒートポンプ給湯ユニット２に代えて燃焼式給湯ユニットを用いて、燃焼温度やガス圧力をセンサで測定することにより同様の制御が可能である。
【産業上の利用可能性】
【００６０】
本発明は、記録領域を増やすことなく給湯機の異常時データ、異常内容を保存して、経済的に異常原因の特定可能な制御装置、給湯機の制御方法及びそれらを備えた給湯機として有用である。
【符号の説明】
【００６１】
１    給湯機タンクユニット
１ａ  流量調整ポンプ
２    ヒートポンプ給湯ユニット
３    台所用リモコン
４    浴室用リモコン
５    制御基板
６    マイクロコンピュータ
７    タンクユニット通信回路
８    温度センサ
９    温度検出回路
１０  圧力センサ
１１  圧力検出回路
１２  不揮発性記録装置
１３  外部接続コネクタ
１４  圧縮機
１５  圧縮機駆動回路
１６  送風機
１７  送風機駆動回路
１８  電磁弁
１９  電磁弁駆動回路
２０  制御手段
２１  異常検出手段
２２  指示手段
【図１】
2011007416.tif 000003
【図２】
2011007416.tif 000004
【図３】
2011007416.tif 000005
【図４】
2011007416.tif 000006